(57)【要約】【課題】時間帯に適した自然な擬似通話を実現することにより防犯効果を高めることができる擬似通話装置及び方法を提供する。【解決手段】携帯電話機１は、擬似通話のために用いられる音声を録音する録音部２５ａと、録音部２５ａによって録音された音声と音声が録音された時刻とを対応付けて記憶するメモリ２４と、現在時刻を計時するタイマ部２３と、メモリ２４に記憶された音声データのうち、タイマ部２３で計時される現在時刻に応じた音声データを擬似通話のための音声として出力するスピーカ１５とを備える。【選択図】図２
2011009940.tif 000002
【特許請求の範囲】
【請求項１】
擬似通話のために用いられる音声を録音する録音部と、
前記録音部によって録音された前記音声の音声データと前記音声が録音された時刻とを対応付けて記憶する記憶部と、
現在時刻を計時する時計部と、
前記記憶部に記憶された前記音声データのうち、前記時計部で計時される現在時刻に応じた音声データを擬似通話のための音声として出力する出力部と
を備えることを特徴とする擬似通話装置。
【請求項２】
無線通信ネットワークに接続して、通話先との間の通話を実現する通信部を備えており、
前記録音部は、前記通信部によって実現される前記通話先との間の通話を録音する
ことを特徴とする請求項１記載の擬似通話装置。
【請求項３】
前記録音部は、前記通信部で実現される通話のうち、過去の通話履歴に基づいて通話頻度が最も高い通話先との間の通話を録音することを特徴とする請求項２記載の擬似通話装置。
【請求項４】
前記記憶部は、前記録音部で録音された音声の音声データを、予め設定された時間帯毎に記憶することを特徴とする請求項１から請求項３の何れか一項に記載の擬似通話装置。
【請求項５】
前記記憶部は、前記録音部にて新たな音声が録音された場合には、記憶している音声データのうち、当該新たな音声が録音された時間帯の音声データを、当該新たな音声の音声データに更新することを特徴とする請求項４記載の擬似通話装置。
【請求項６】
前記記憶部は、録音時間が予め設定された最小録音時間よりも長い音声の音声データのみを前記記憶部に記憶することを特徴とする請求項１から請求項５の何れか一項に記載の擬似通話装置。
【請求項７】
前記記憶部は、時刻に無関係な予め規定された定型音声データを記憶しており、
前記出力部は、前記記憶部に前記定型音声データ以外の音声データが記憶されていない場合には、前記定型音声データを擬似通話のための音声として出力する
ことを特徴とする請求項１から請求項６の何れか一項に記載の擬似通話装置。
【請求項８】
擬似通話のために用いられる音声を録音する録音ステップと、
前記録音ステップで録音された音声の音声データと前記音声が録音された時刻とを対応付けて記憶する記憶ステップと、
現在の時刻に応じた音声データを読み出して擬似通話のための音声として出力する出力ステップと
を有することを特徴とする擬似通話方法。
【発明の詳細な説明】
【技術分野】
【０００１】
本発明は、擬似通話装置及び方法に関する。
【背景技術】
【０００２】
擬似通話装置は、実際の通話を行うことなく擬似的に通話を装うための装置であり、例えば携帯電話機等の携帯性を有する電子機器に設けられる。携帯電話機等を用いて通話が行われている状況下においては、そのユーザは異常が生じた旨や現在の場所を相手方に即座に伝えることができるため、そのユーザに危害を加えようとする者が思い留まることによって犯罪の発生が抑制される。携帯電話機等の電子機器に擬似通話装置を設けることで、通話相手が居ない状況下においても通話を装うことができるため、防犯効果を高めることができる。
【０００３】
以下の特許文献１には、擬似通信装置を備える携帯電話機の一例が開示されている。具体的には、擬似着信動作を開始させる第１ボタン、擬似通話動作を開始させる第２ボタン、及び擬似通話動作を停止させる第３ボタンを備えており、ユーザによって第１ボタンが操作された場合に擬似着信動作を開始し、続いて第２ボタンが操作された場合に予め録音された音声の音声データを擬似音声として出力して擬似通話動作を開始し、第３ボタンが操作された場合に擬似通話動作を停止する携帯電話機が開示されている。
【先行技術文献】
【特許文献】
【０００４】
【特許文献１】特開２００３−２１８９９０号公報
【発明の概要】
【発明が解決しようとする課題】
【０００５】
ところで、擬似通話のために録音された音声の音声データは予め定まったものであるため、擬似通話を行う時間帯に関係なく同一の音声が出力されることになる。このため、擬似通話を行う時間帯によっては擬似通話が極めて不自然になることが考えられ、擬似通話による防犯効果が薄れてしまう虞が考えられる。
【０００６】
本発明は、上記事情に鑑みてなされたものであり、時間帯に適した自然な擬似通話を実現することにより防犯効果を高めることができる擬似通話装置及び方法を提供することを目的とする。
【課題を解決するための手段】
【０００７】
上記課題を解決するために、本発明の擬似通話装置は、擬似通話のために用いられる音声を録音する録音部と、前記録音部によって録音された前記音声の音声データと前記音声が録音された時刻とを対応付けて記憶する記憶部と、現在時刻を計時する時計部と、前記記憶部に記憶された前記音声データのうち、前記時計部で計時される現在時刻に応じた音声データを擬似通話のための音声として出力する出力部とを備えることを特徴としている。
また、本発明の擬似通話装置は、無線通信ネットワークに接続して、通話先との間の通話を実現する通信部を備えており、前記録音部は、前記通信部によって実現される前記通話先との間の通話を録音することを特徴としている。
また、本発明の擬似通話装置は、前記録音部が、前記通信部で実現される通話のうち、過去の通話履歴に基づいて通話頻度が最も高い通話先との間の通話を録音することを特徴としている。
また、本発明の擬似通話装置は、前記記憶部が、前記録音部で録音された音声の音声データを、予め設定された時間帯毎に記憶することを特徴としている。
また、本発明の擬似通話装置は、前記記憶部が、前記録音部にて新たな音声が録音された場合には、記憶している音声データのうち、当該新たな音声が録音された時間帯の音声データを、当該新たな音声の音声データに更新することを特徴としている。
また、本発明の擬似通話装置は、前記記憶部が、録音時間が予め設定された最小録音時間よりも長い音声の音声データのみを前記記憶部に記憶することを特徴としている。
また、本発明の擬似通話装置は、前記記憶部が、時刻に無関係な予め規定された定型音声データを記憶しており、前記出力部は、前記記憶部に前記定型音声データ以外の音声データが記憶されていない場合には、前記定型音声データを擬似通話のための音声として出力することを特徴としている。
本発明の擬似通話方法は、擬似通話のために用いられる音声を録音する録音ステップと、前記録音ステップで録音された音声の音声データと前記音声が録音された時刻とを対応付けて記憶する記憶ステップと、現在の時刻に応じた音声データを読み出して擬似通話のための音声として出力する出力ステップとを有することを特徴としている。
【発明の効果】
【０００８】
本発明によれば、擬似通話を行う時間帯に適した自然な擬似通話を実現することができ、この結果として防犯効果を高めることができるという効果がある。
【図面の簡単な説明】
【０００９】
【図１】本発明の一実施形態による擬似通話装置を備える携帯電話機の外観斜視図である。
【図２】携帯電話機１の要部構成を示すブロック図である。
【図３】携帯電話機１の録音動作時に行われる処理を示すフローチャートである。
【図４】携帯電話機１の擬似通話動作時に行われる処理を示すフローチャートである。
【発明を実施するための形態】
【００１０】
以下、図面を参照して本発明の一実施形態による擬似通話装置及び方法について詳細に説明する。尚、本実施形態では、擬似通話装置が携帯電話機に設けられた態様について説明する。図１は、本発明の一実施形態による擬似通話装置を備える携帯電話機の外観斜視図である。図１に示す通り、携帯電話機１は、第一筐体１１、第一筐体１１の厚さ方向に重ね合わせ可能な第二筐体１２、及び第一筐体１１と第二筐体１２とを相互に折り畳み自在に連結するヒンジ部１３を備えている。ヒンジ部１３は、第一筐体１１の基端部１１ａと第二筐体１２の基端部１２ａとを連結するように配されている。
【００１１】
第二筐体１２の内部には、各種情報を表示する表示領域１４ａを有するＬＣＤ（Liquid Crystal Display：液晶表示装置）又はＥＬ（Electro Luminescence：有機ＥＬ）ディスプレイ等からなる表示部１４及び通話用のスピーカ１５が設けられている。表示部１４の表示領域１４ａは、第一筐体１１と第二筐体１２とを相互に重ね合わせた状態において第一筐体１１に対向する第二筐体１２の表面１２ｃ側に露出している。スピーカ１５は、基端部１２ａとは反対側に位置する第二筐体１２の先端部１２ｂに配されており、第二筐体１２の表面１２ｃから第二筐体１２の内部空間に貫通する開口部１２ｄを介して外方に露出している。
【００１２】
第一筐体１１の内部には、テンキー１６ａ、通話キー１６ｂ、終話キー１６ｃ、及び多方向キー１６ｄ等の各種の押下操作可能な複数の操作キーを備えるキー操作部１６及び通話用のマイクロフォン１７が設けられている。尚、上記の通話キー１６ｂは擬似通話機能を動作させるキーとしても用いられ、上記の終話キー１６ｃは携帯電話機１の電源をオン（投入）又はオフ（切断）するための電源キーとしても用いられる。キー操作部１６は、第一筐体１１と第二筐体１２とを相互に重ね合わせた状態において第二筐体１２に対向する第一筐体１１の表面１１ｃから外方に露出している。
【００１３】
マイクロフォン１７は、基端部１１ａとは反対側に位置する第一筐体１１の先端部１１ｂに配されており、第一筐体１１の表面１１ｃから第一筐体１１の内部空間に貫通する開口部１１ｄを介して外方に露出している。尚、第一筐体１１の内部には、キースイッチ、シールドケース、回路基板、及びバッテリー（何れも不図示）等が重ねて配されている。また、第一筐体１１内部の先端部１１ｂ側には、無線通信用のアンテナ２１（図２参照）が収容されている。
【００１４】
図２は、携帯電話機１の要部構成を示すブロック図である。図２に示す通り、携帯電話機１は、図１を用いて説明したスピーカ１５（出力部）、マイクロフォン１７（音声入力部）、キー操作部１６、及び表示部１４に加えて、アンテナ２１、無線通信部２２（通信部）、タイマ部２３（時計部）、メモリ２４（記憶部）、及び制御部２５を備えており、無線通信ネットワーク（図示省略）を介した通話及び通信のみならず、通話を行うことなく擬似的に通話を装う擬似通話が可能である。
【００１５】
無線通信部２２は、アンテナ２１を介して無線通信ネットワークの一部をなす基地局（図示省略）との間で無線信号の送受信を行うことで、その無線通信ネットワークを利用する他の携帯電話機のユーザ（通話先）との間の通話を実現するものである。尚、この無線通信部２２は、他のユーザとの間の通話のみならず、電子メールの送受信やホームページの閲覧等も実現可能である。
【００１６】
タイマ部２３は時刻を計時するものであり、現在時刻を示す情報を制御部２５に出力する。また、タイマ部２３は、制御部２５によって指示された時間を指示されたタイミングで計時し、計時を終了した場合にはその旨を示す信号を制御部２５に出力する。メモリ２４は、文字、記号、画像等の各種情報や携帯電話機１の各種機能を実現するプログラムを記憶するものであり、例えば不揮発性の半導体メモリによって実現される。
【００１７】
また、メモリ２４は、擬似通話のために用いられる音声データであって後述する録音部２５ａで録音された音声の音声データと、その音声が録音された時刻とを対応付けて記憶する。このように、音声データと時刻とを対応付けて記憶するのは、時間帯に適した自然な擬似通話を実現することによって、防犯効果を高めるためである。ここで、音声データに対して時刻を対応付ける方法としては、音声が録音された時刻そのもの（時、分、秒）を対応付ける方法、又は音声が録音された時間帯（例えば、０〜８時、８〜１６時、１６〜２４時の３つの時間帯）を対応付ける方法が考えられる。本実施形態では、後者の方法によって、録音された音声の音声データが時間帯毎にメモリ２４に記憶される場合を例に挙げて説明する。
【００１８】
更に、メモリ２４には、録音部２５ａによって録音される音声データ以外に、時刻に無関係な予め規定された定型の音声データ（定型音声データ）も記憶されている。この、定型音声データは、携帯電話機１の出荷時に既にメモリ２４に記憶されている。かかる定型音声データをメモリ２４に記憶しておくのは、録音部２５ａで録音された音声の音声データがメモリ２４に記憶されていない場合であっても、擬似通話を実現するためである。
【００１９】
制御部２５は、図２に示す各ブロックを制御することにより、携帯電話機１の動作を統括的に制御する。例えば、携帯電話機１のユーザによるキー操作部１６の操作に応じて、無線通信部２２を制御することによって通話又は通信を実現する。また、ユーザがキー操作部１６に設けられた通話キー１６ｂを操作して擬似通話機能を動作させる指示を行った場合には、タイマ部２３から出力される現在時刻を示す情報に応じた音声データをメモリ２４から読み出してスピーカ１５に出力することにより、擬似通話を実現する。
【００２０】
また、制御部２５は、擬似通話に用いる音声を音声データとして録音する録音部２５ａを備える。この録音部２５ａは、ユーザの指示に応じて、マイクロフォン１７から入力される音声（携帯電話機１のユーザの音声）を録音する。或いは、ユーザの指示に応じて、他の携帯電話機のユーザとの間の通話を録音する。他の携帯電話機のユーザとの間で行われる通話を録音する場合には、録音部２５ａは、無線通信部２２で実現される通話のうち、過去の通話履歴（発着信履歴）に基づいて通話頻度が最も高いユーザとの間の通話を録音する。
【００２１】
また、録音部２５ａは、ある時間帯における音声データがメモリ２４に記憶されている状態で、その時間帯における新たな音声データを録音した場合には、メモリ２４に記憶されている音声データを新たな音声データに更新（上書き）する。かかる更新を行うのは、使用されることのない音声データがメモリ２４に蓄積されるのを防止してメモリ２４の有効利用を図るためである。更に、録音部２５ａは、録音時間が予め設定された最小録音時間よりも長い音声データのみをメモリ２４に記憶する。これは、録音時間が極端に短い音声データは、擬似通話を行うには不適だからである。
【００２２】
次に、上記構成における携帯電話機１の動作について説明する。擬似通話に関する携帯電話機１の動作は、擬似通話に用いる音声を録音する録音動作と、メモリ２４に記憶された音声データを用いて実際に擬似通話を実現する擬似通話動作とに大別される。以下、これらの動作の詳細を順に説明する。尚、以下の説明では、０〜８時、８〜１６時、１６〜２４時の３つの時間帯毎の音声データがメモリ２４に記憶される場合を例に挙げて説明する。
【００２３】
〔録音動作〕
図３は、携帯電話機１の録音動作時に行われる処理を示すフローチャートである。図３に示す処理は、携帯電話機１のユーザがキー操作部１６の通話キー１６ｂを操作して他の携帯電話機のユーザからの着信に応答した場合、或いは携帯電話機１のユーザが行った発信に対して他の携帯電話機のユーザが応答した場合に自動的に開始される。尚、図３に示す処理を自動的に開始させるか否かはユーザが自由に設定することができる。
【００２４】
図３に示す処理が開始されると、まず録音部２５ａによって発着信履歴が確認され（ステップＳ１１）、通話を行おうとしている相手方のユーザが、通話頻度（発着信頻度）が最も高いユーザであるか、又は通話頻度（発着信頻度）が最も高いグループに属しているユーザであるか否かが判断される（ステップＳ１２）。この判断結果が「ＮＯ」である場合には、図３に示す一連の処理が終了する。
【００２５】
これに対し、ステップＳ１２の判断結果が「ＹＥＳ」である場合には、無線通信部２２によって実現される他の携帯電話機のユーザとの間の通話を録音する処理が、録音部２５ａによって開始される（ステップＳ１３：録音ステップ）。尚、録音が開始されると制御部２５によって取得されるタイマ部２３の現在時刻が録音部２５ａに記憶される。ここで、録音部２５ａによって録音された音声の音声データは、メモリ２４に予め設けられた一時記憶領域（テンポラリ領域）に記憶される。尚、メモリ２４には、上記のテンポラリ領域とは別に、０〜８時の時間帯の音声データ（以下、第１音声データという）、８〜１６時の時間帯の音声データ（以下、第２音声データという）、及び１６〜２４時の時間帯の音声データ（以下、第３音声データ）を記憶する記憶領域が設けられているとする。
【００２６】
録音が行われている間は、他の携帯電話機のユーザとの間の通話が終了したか否か、及び、録音開始時点から予め設定された最大録音時間が経過したか否かが録音部２５ａによって判断される（ステップＳ１４）。ここで、最大録音時間は、擬似通話のために用いる音声の最長時間を規定する時間であり、例えばメモリ２４の容量に応じてユーザによって設定される。通話が終了したと判断した場合には、録音部２５ａは、録音時間が予め設定された最小録音時間を超えているか否かを判断する（ステップＳ１５）。
【００２７】
録音時間が最小録音時間を超えていないと判断した場合（判断結果が「ＮＯ」の場合）には、録音部２５ａによってメモリ２４のテンポラリ領域に記憶された音声データが削除され（ステップＳ１６）、図３に示す一連の処理が終了する。かかる処理によって、擬似通話を行うには不適な録音時間が極端に短い音声データが除外される。尚、上記の最小録音時間は、上記の最大録音時間と同様に、ユーザによって設定される。他方、録音時間が最小録音時間を超えていると判断した場合（ステップＳ１５の判断結果が「ＹＥＳ」の場合）には、録音部２５ａによって録音を開始した時刻が参照される（ステップＳ１７）。
【００２８】
録音開始時刻が０〜８時の時間帯である場合には、録音部２５ａはメモリ２４のテンポラリ領域に記憶されている音声データが第１音声データとしてコピーされる（ステップＳ１８：記憶ステップ）。また、録音開始時刻が８〜１６時の時間帯である場合には同音声データが第２音声データとしてにコピーされ（ステップＳ１９：記憶ステップ）、録音開始時刻が１６〜２４時の時間帯である場合には同音声データが第３音声データとしてコピーされる（ステップＳ２０：記憶ステップ）。尚、第１〜第３音声データがメモリ２４の記憶領域に既に記憶されている場合には、以上の処理によって、既に記憶されている音声データが新たに録音された音声の音声データに更新される。メモリ２４のテンポラリ領域に記憶されている音声データのコピーが終了すると、図３に示す一連の処理が終了する。
【００２９】
一方、ステップＳ１４において、録音開始時点から最大録音時間が経過したと判断された場合には、録音部２５ａは録音を終了する（ステップＳ２１）。尚、録音部２５ａによる録音が終了しても、他の携帯電話機のユーザとの間の通話は維持される。そして、録音部２５ａによって録音を開始した時刻が参照され（ステップＳ１７）、テンポラリ領域に記憶された音声データが、録音開始時刻に応じて第１〜第３音声データの何れかとしてコピーされて（ステップＳ１８〜Ｓ２０）、図３に示す一連の処理が終了する。以上の処理にて、擬似通話に用いられる音声データと、音声が録音された時刻（時間帯）が対応付けて記憶される。
【００３０】
〔擬似通話動作〕
図４は、携帯電話機１の擬似通話動作時に行われる処理を示すフローチャートである。図４に示す処理は、携帯電話機１のユーザがキー操作部１６の通話キー１６ｂを操作して擬似通話機能を動作させる指示を行った場合に開始される。図４に示す処理が開始されると、まず制御部２５によってタイマ部２３から得られる現在時刻が参照される（ステップＳ３１）。
【００３１】
現在時刻が０〜８時の時間帯である場合には、制御部２５によってメモリ２４の記憶領域に記憶された第１音声データが参照される（ステップＳ３２）。また、現在時刻が８〜１６時の時間帯である場合には同記憶領域に記憶された第２音声データが参照され（ステップＳ３３）、現在時刻が１６〜２４時の時間帯である場合には同記憶領域に記憶された第３音声データが参照される（ステップＳ３４）。
【００３２】
以上の参照が終了すると、参照した音声データがメモリ２４の記憶領域に存在するか否かが制御部２５によって判断される（ステップＳ３５）。存在すると判断した場合（判断結果が「ＹＥＳ」の場合）には、参照した音声データが予め設定された所定の期間内に録音されたものであるか否かが制御部２５によって判断される（ステップＳ３６）。この判断結果が「ＹＥＳ」である場合には、制御部２５は、ステップＳ３２〜Ｓ３４の何れかのステップで参照した音声データをメモリ２４から読み出してアナログ信号に変換し、変換したアナログ信号をスピーカ１５に出力する。これにより、スピーカ１５からは現在の時刻に応じた音声データに基づいた擬似通話のための音声が出力される（ステップＳ３７：出力ステップ）。
【００３３】
一方、ステップＳ３５において、ステップＳ３２〜Ｓ３４の何れかのステップで参照した音声データがメモリ２４の記憶領域に存在しないと判断した場合（判断結果が「ＮＯ」の場合）には、制御部２５は、メモリ２４に記憶されている定型音声データを読み出してアナログ信号に変換し、変換したアナログ信号をスピーカ１５に出力する。これにより、スピーカ１５からは定型音声データに基づいた擬似通話のための音声が出力される（ステップＳ３８）。かかる処理により、録音部２５ａで録音された音声の音声データがメモリ２４に記憶されていない場合であっても、擬似通話を実現することができる。
【００３４】
また、ステップＳ３６において、参照した音声データが予め設定された所定の期間内に録音されたものはないと判断した場合（判断結果が「ＮＯ」の場合）には、制御部２５はステップＳ３２〜Ｓ３４の何れかのステップで参照した音声データを削除する処理を行い（ステップＳ３９）、メモリ２４に記憶されている定型音声データを読み出してスピーカ１５に出力する（ステップＳ３８）。かかる処理によって、余りにも古い音声データを用いたことによって周囲から通話が不自然であると思われるのを防止することができる。尚、音声データを削除するために参照される所定の期間（ステップＳ３６の判断で参照される期間）は、ユーザが任意に設定することができる。
【００３５】
以上説明した通り、本実施形態の擬似通話装置及び方法によれば、録音部２５ａで録音された音声の音声データと、その音声が録音された時刻とを対応付けてメモリ２４に記憶し、擬似通信を行うときの時刻（現在時刻）に応じた音声データをメモリ２４から読み出して擬似通話のための音声として出力している。このため、擬似通話を行う時間帯に適した自然な擬似通話を実現することができ、この結果として防犯効果を高めることができる。
【００３６】
また、音声データを録音する場合には録音時間が極端に短いために擬似通話を行うには不適な音声データが除外され、模擬通信を行う際には予め設定された所定の期間よりも以前に録音された音声の音声データは用いられない。これによっても、自然な擬似通話を実現することができる。更に、録音部２５ａで録音された音声の音声データがメモリ２４に記憶されていない場合には定型音声データを用いて擬似通話が行われるため、ユーザが予め録音を行っておらず、或いは録音をし忘れた場合であっても擬似通話を実現することができる。
【００３７】
以上、本発明の一実施形態による擬似通話装置及び方法について説明したが、本発明は上記実施形態に制限されず、本発明の範囲内で自由に変更が可能である。例えば、上記実施形態では、１日を０〜８時、８〜１６時、１６〜２４時の３つの時間帯に分けた場合を例に挙げたが時間帯の分割方法は任意である。例えば、分割数を増減しても良く、各時間帯の時間を異ならせても良い。また、携帯電話機１のユーザは、マイクロフォン１７を用いることによって、擬似通話用の音声を自身で録音することも可能である。自身の音声を録音する場合にも図３に示すステップＳ１３〜Ｓ２１と同様の処理にて録音される。
【符号の説明】
【００３８】
１５      スピーカ
１７      マイクロフォン
２２      無線通信部
２３      タイマ部
２４      メモリ
２５ａ    録音部
【図１】
2011009940.tif 000003
【図２】
2011009940.tif 000004
【図３】
2011009940.tif 000005
【図４】
2011009940.tif 000006